(57)【特許請求の範囲】
【請求項１】
燃焼室を有する機関本体と、
該機関本体に保持され、先端部分に形成される燃料吐出部が前記燃焼室に突出し燃料を噴射する燃料インジェクタと、
前記機関本体に保持されるプラグ本体と、前記プラグ本体より前記燃焼室に突出し、中心電極と該中心電極にギャップを介して対向する接地電極とからなる点火部と、を有する点火プラグと、
を含む燃焼機関において、
前記燃料吐出部と前記点火部とを結ぶ仮想直線上であって、前記噴孔から噴射され前記点火部に至る燃料噴霧の流路を規制する壁部を有し、
前記接地電極は、前記プラグ本体の一端側の側方より突出し、先端が前記中心電極の軸方向延長線上に位置するＬ字に曲がった形状となっており、
前記壁部は、所定幅と所定高さとを有して前記プラグ本体から突出し、前記点火部側を中心とする円弧状又は前記燃料吐出部側に突出した山形で、前記接地電極とは反対方向において前記点火部を囲うように設けられることを特徴とする燃焼機関。
【請求項２】
前記燃料吐出部は、燃料噴霧の中心軸が前記壁部に当接しない所定角度で燃料を噴射するように設けられることを特徴とする請求項１に記載の燃焼機関。
【請求項３】
前記壁部は、前記燃料吐出部から前記点火部へ通ずる壁孔を有することを特徴とする請求項１又は２に記載の燃焼機関。
【発明の詳細な説明】
【技術分野】
【０００１】
本発明は、内燃機関等の燃焼機関に関する。
【背景技術】
【０００２】
点火プラグは、自動車のエンジンなどの内燃機関において燃焼室内の混合気に点火するもので、点火部を構成する中心電極と中心電極にギャップを介して対向する接地電極とを有し、点火のためにギャップに火花を発生させて混合気を点火するものである。
【０００３】
一般に、点火プラグの中心電極および接地電極はプラグ本体の一端から軸方向に突出している。点火プラグは、そのプラグ本体がシリンダヘッドに取り付けられ、中心電極および接地電極は燃焼室内に突出する。また、点火プラグと並んでシリンダヘッドに取り付けられた燃料インジェクタは燃焼室内に燃料を噴射し、その燃料と燃焼室内の空気とが混合し混合気が生成される。そして、この混合気が点火プラグにより点火されて燃焼する。
【０００４】
点火プラグと燃料インジェクタとで行う燃焼法の一つにスプレーガイド燃焼法がある。このスプレーガイド燃焼法は、燃焼室内に燃料吐出部が突出して配置される燃料インジェクタよりの燃料を直接点火プラグ方向に噴射し、形成された噴霧がピストンやシリンダライナー等の壁面に当たる前に点火プラグを用いて点火することで、シリンダ内の総合的な燃料混合気濃度を低下し、燃費、エミッションを向上させる技術である。
【０００５】
スプレーガイド燃焼法に使用される点火プラグとしては、例えば特許文献１に開示されたものがある。この点火プラグは、接地電極とプラグ本体とを繋ぐ金具部分が中心電極と硝子とを空気層を介して取り囲む筒形状をしている。この金具は中心電極に対して燃料噴射方向の後側の金具部分が軸方向で前側の金具部分より長く、かつ中心電極を略半周部分覆うように形成されている。
【０００６】
またスプレーガイド燃焼法は点火プラグと燃料インジェクタとを近傍に配置するため、噴射された燃料噴霧への点火のタイミングがずれ、燃料噴霧が点火プラグ後側に流れて込む場合が考えられる。そこで特許文献２では、外側電極（接地電極）に軸方向のスリットを設け、後側にある燃料噴霧をスリットから中心電極と外側電極とのギャップに誘い込み、点火を行うことを提案している。
【０００７】
その他にスプレーガイド燃焼法は、点火が失敗してしまう要因の１つに点火領域の制限もある。そこで特許文献３は、燃焼室に点火プラグを取り付ける際、最適な組付け位置から逸脱しても点火することができるように、可燃性の混合気をギャップに供給する供給領域を有する発明を提案している。この供給領域は、貫通孔あるいは貫通スリットなどの貫通領域をギャップの高さで接地電極に形成され、点火可能な可燃性混合気をギャップに供給する。
【特許文献１】特開２０００−２７７２３４号公報
【特許文献２】特開２０００−３１５５６２号公報
【特許文献３】特開２００３−１５７９５２号公報
【発明の開示】
【発明が解決しようとする課題】
【０００８】
上述した特許文献１、特許文献２及び特許文献３は、点火プラグと燃料インジェクタとが近傍に配置されることにより、エンジンの回転数や負荷によらず安定して可燃性の混合気を点火部に供給されやすい。しかし、上記の文献はどれもが中心電極と接地電極とからなる点火部が燃料インジェクタの噴射する燃料噴霧を直接噴きつけられる位置にある。そのため、噴射する燃料が噴霧にならず未蒸発の状態で点火部に到達した場合、点火部が湿ってしまい点火できなかったり、デポジットの付着が起きたりする。
【０００９】
本発明は、上記課題を鑑みてなされたもので、未蒸発の燃料が点火部に付着するのを防止できかつ点火部へ可燃性の燃料噴霧を確実に供給できる燃焼機関を提供することを目的とする。
【課題を解決するための手段】
【００１０】
本発明の燃焼機関は、燃焼室を有する機関本体と、該機関本体に保持され、先端部分に形成される燃料吐出部が前記燃焼室に突出し燃料を噴射する燃料インジェクタと、前記機関本体に保持されるプラグ本体と、前記プラグ本体より前記燃焼室に突出し、中心電極と該中心電極にギャップを介して対向する接地電極とからなる点火部と、を有する点火プラグと、を含む燃焼機関において、前記燃料吐出部と前記点火部とを結ぶ仮想直線上であって、前記噴孔から噴射され前記点火部に至る燃料噴霧の流路を規制する壁部を有し、前記接地電極は、前記プラグ本体の一端側の側方より突出し、先端が前記中心電極の軸方向延長線上に位置するＬ字に曲がった形状となっており、前記壁部は、所定幅と所定高さとを有して前記プラグ本体から突出し、前記点火部側を中心とする円弧状又は前記燃料吐出部側に突出した山形で、前記接地電極とは反対方向において前記点火部を囲うように設けられることを特徴とする。
【００１１】
この燃焼機関では、燃料インジェクタから噴射される燃料噴霧が直接点火部へ噴きつけられるのを壁部が規制する。
【００１２】
本発明の燃焼機関で用いられる壁部は、所定幅と所定高さとを有してプラグ本体から突出して設けられる。
【００１３】
この壁部は、燃料インジェクタから噴射される燃料噴霧が直接点火部へ噴きつけられるのを規制することができる所定幅と所定高さとを有し、点火プラグ本体から突出している。
【００１４】
本発明の燃焼機関で用いられる燃料吐出部は、燃料噴霧の中心軸が壁部に当接しない所定角度で燃料を噴射するように設けられることが好ましい。この燃料インジェクタの噴孔が単数孔の場合はその１つ、複数孔の場合は点火部に向けられている１つの燃料噴霧の中心軸が、直接壁部に当たらない角度で配置される。
【００１５】
本発明の燃焼機関で用いられる壁部は、点火部側を中心とする円弧状に設けられる。この壁部は、燃料インジェクタからの燃料噴霧が直接点火部に噴きつけないように、点火部を囲うように適度な円弧状に形成されている。
【００１６】
本発明の燃焼機関で用いられる壁部は、燃料吐出部側に突出した山形に設けられる。この壁部は、燃料インジェクタからの燃料噴霧が直接点火部に噴きつけないように、点火部を囲うように適度な山形に形成されている。
【００１７】
本発明の燃焼機関で用いられる壁部は、燃料吐出部から点火部へ通ずる壁孔を有することが好ましい。この孔は、燃料吐出部から点火部方向に貫通している。
【発明の効果】
【００１８】
本発明の燃焼機関によれば、燃料吐出部と点火部との間の壁部が、燃料インジェクタから噴射された燃料噴霧の点火部へ直接噴きつけられるのを規制することができるため、点火部が湿ってしまうことによる失火やデポジットの発生を抑えることができる。また、燃料インジェクタから噴射された燃料噴霧のうち、壁部に当たらず通過した燃料噴霧と、壁部の点火部側の空間との間に圧力の差が生じ、点火部側の空間に燃料噴霧が流れ込み適度な濃度の可燃性の燃料噴霧が点火部へ供給されるため、安定した点火が可能となる。
【００１９】
本発明の燃焼機関で用いられる壁部が点火プラグのプラグ本体から突出して形成されるので、燃焼室の形状を変更することなく点火プラグと一体的に作成することができるため、コストを抑えることが可能となる。また、燃料インジェクタと点火プラグとの位置関係による壁部の幅や高さの変更もしやすい。
【００２０】
本発明の燃焼機関で用いられる燃料インジェクタにより噴射された燃料噴霧は、中心軸線上が最も流速が速い。そのため、燃料噴霧の中心軸は壁部に当てずに壁部の下部か側部を通過させることで、流速のない壁部の点火部側へ燃料噴霧が流れ込む気流が生じる。液状の燃料噴霧は質量が重いため、壁部の点火部側の空間に流れ込みにくい。よって、適度な濃度の混合気を点火プラグの点火部へと供給することができかつ失火の原因の噴霧状でない燃料も点火部へ流れ込みにくいため、失火やデポジットが起こりにくい燃焼機関を提供できる。
【００２１】
本発明の燃焼機関で用いられる壁部は、点火部側を囲うように円弧状や山形を形成することで、燃料インジェクタからの燃料噴霧が壁部の壁を伝って側部から供給される。壁部の幅の長さや形状により、壁部の下部からの燃料噴霧と側部からの燃料噴霧との点火部への到達時間に差を生じさせることが可能となり、点火部が点火できる期間を調節することができる。よって、より確実な点火を可能とする。
【００２２】
本発明の燃焼機関で用いられる壁部によれば、孔を設けることで孔のない壁部の場合より点火時期を早めることが可能である。壁部の外側からの燃料噴霧の流れより一層、燃焼室内の空気流動に影響を受けにくくなり、より限定した範囲に点火可能な混合気を配置することが可能となり安定した点火を実現することができる。
【発明を実施するための最良の形態】
【００２３】
以下、実施例及び参考例を用いて本発明を具体的に説明する。
【００２４】
（参考例１）
参考例１の燃焼機関１を図１に示す。図１は燃焼機関１の一部断面図である。
【００２５】
この燃焼機関１は、シリンダ１０、ピストン１１、シリンダヘッド１２、点火プラグ２及び燃料インジェクタ３を含む。シリンダ１０にはピストン１１が上下方向に摺動自在に嵌挿されている。シリンダヘッド１２がシリンダ１０の一端開口を覆い、ピストン１１と共に燃焼室１３を形成している。シリンダヘッド１２には吸気管１４及び排気管１５が形成されており、それぞれ吸気弁１６と排気弁１７が設けられている。
【００２６】
燃料インジェクタ３はシリンダヘッド１２の中央に設置されており、点火プラグ２は燃料インジェクタ３に隣接し、燃料インジェクタ３の先端側の延長線と点火プラグ２の先端側の延長線が燃焼室１３内で交わるようにシリンダヘッド１２に斜め方向に設置されている。
【００２７】
点火プラグ２は、プラグ本体２０と中心電極２１と接地電極２２とからなる。中心電極２１はプラグ本体２０の一端側の中心部から軸方向に突出し、接地電極２２は、プラグ本体２０の一端側の側方より突出し、先端が中心電極２１の軸方向延長線上に位置するL字に曲がった形状となっている。
【００２８】
燃料インジェクタ３はインジェクタ本体３０と燃料を噴射する噴出口（燃料吐出部）３１をもつ。噴出口３１は１つのスリット形状であり、そこから燃料噴霧４が燃焼室１３に噴射される。
【００２９】
シリンダヘッド１２には、点火プラグ２と燃料インジェクタ３との間で、シリンダヘッド１２から燃焼室１３側に突出する壁部５が形成されている。図２は点火プラグ２と壁部５とを下方つまり燃焼室１３側からの底面図である。図２において、左側に点火部（中心電極２１と接地電極２２と）を含む点火プラグ２、右側から図示されていない燃料インジェクタ３からの燃料噴霧４が点火部に向けられて噴射される。壁部５は、点火部の右側に配置され、燃料噴霧４が中心電極２１と接地電極２２とに直接噴きつけられるのを遮るように点火部を囲う円弧状である。壁部５は、点火プラグ２の軸方向で点火部と同じか少し延長された長さで、適当な厚さを有する。
【００３０】
本参考例１の燃焼機関１は、吸気弁１６が開弁して吸気管１４から新しい空気が燃焼室１３に入り込む。次に吸気弁１６は閉鎖され、ピストン１１が上昇して燃焼室１３の空気が圧縮され、ピストン１１が上死点に達する直前に燃料インジェクタ３の噴出口３１から燃料噴霧４が噴射され、混合気を生成する。その直後、点火プラグ２が混合気に点火し、その点火による着火炎が燃焼室１３に広がり、ピストン１１が押し下げられる。その後、排気弁１７が開弁して排気管１５から排気が排出される。このように、この燃焼機関１は吸気、圧縮、爆発及び排気のサイクルを繰り返す。
【００３１】
この燃焼機関１では、図３及び図４に示されるように、燃料インジェクタ３から噴射された燃料噴霧４の一部が壁部５に当接し、中心電極２１と接地電極２２との点火部には直接燃料噴霧４が噴きかからない。図４は、燃料噴霧４の流れを矢印により模式的に表した図である。点火プラグ２と壁部５との間の供給空間５０には、壁部５に当接しなかった燃料噴霧４が圧力の差により流れ込んでくる。つまり、壁部５に当接せず通過した燃料噴霧４の付近は流速があり圧力が高く、供給空間５０は燃料噴霧４が通過せず流速がなく圧力が低いためである。この時、燃料噴霧４の液状のものは質量が重いため供給空間５０に流れ込みにくく、噴霧状ものが流れ込みやすい。燃料インジェクタ３は、図３に示されるように、燃料噴霧４の中心軸を壁部５に当たらないようにすることが望ましい。燃料噴霧４の中心軸の流速が一番速いため、供給空間５０との圧力差が生じやすいからである。
【００３２】
燃料噴霧４が壁部５の下方つまり底面を越えて点火プラグ２の点火部に至る概略図が図２に示される。燃料噴霧４が壁部５の側面から回り込み点火プラグ２の点火部に至る概略図が図５及び図６に示される。図５は壁部５の片側面からのみ燃料噴霧４が流れ込み、図６は壁部５の両側面から燃料噴霧４が流れ込む様子を示す。
【００３３】
このように供給空間５０に流れ込んだ燃料噴霧４は、供給空間５０の空気と混じり適度な濃度の混合気となり、点火プラグ２の中心電極２１と接地電極２２との点火部に至る。ここで中心電極１２と接地電極１３との間に高電圧がかけられ火花が発生する。この火花により混合気が点火され、点火部の周りの混合気を点火し爆発的に燃焼させる。
【００３４】
本参考例１の燃焼機関１では、点火プラグ２の点火部と燃料インジェクタ３の噴出口３１との間の壁部５により点火部に燃料インジェクタ３からの燃料噴霧４が直接噴きかからないため、燃料噴霧４が付着せず非常に失火しづらく、プラグのくすぶりが生じにくい。その上、壁部５が燃料インジェクタ３から噴射される燃料噴霧４の自由流れを制限することで、適当な場所（供給空間５０）に適当な期間で流速の低い適度な濃度の可燃性の混合気を配置することができるため、安定した点火を可能とする。
【００３５】
（参考例２）
本参考例２の燃焼機関１は、参考例１の燃焼機関１の壁部５の形状が異なるだけであり、それ以外は参考例１と同様の構成のものである。よって、以下に説明する参考例において特に言及しない部材については、参考例１と同様の部材であり、詳細な説明を省略する。
【００３６】
図７は、本参考例２の燃焼機関１で用いられる点火プラグ２と壁部５との底面図である。図７において、壁部５は、左側の点火プラグ２と、図示されていない右側に位置する燃料インジェクタ３との間に配置され、噴出口３１側に突出した山形形状である。壁部５は、点火プラグ２の軸方向で点火部と同じか少し延長された長さで、適当な厚さを有する。
【００３７】
本参考例２の燃焼機関１では、点火プラグ２と燃料インジェクタ３との間の壁部５により点火プラグ２の点火部に燃料インジェクタ３からの燃料噴霧４が直接噴きかからないため、燃料噴霧４が付着せず非常に失火しづらく、プラグのくすぶりが生じにくい。そして、壁部５が燃料インジェクタ３から噴射される燃料噴霧４の自由流れを制限することで、供給空間５０に適度な濃度の混合気を生成することができ、流速も低いため、安定した点火を可能とする。
【００３８】
（参考例３）
本参考例３の燃焼機関１は、参考例１の燃焼機関１の壁部５の形状が異なるだけであり、それ以外は参考例１と同様の構成のものである。よって、以下に説明する参考例において特に言及しない部材については、参考例１と同様の部材であり、詳細な説明を省略する。
【００３９】
参考例３の燃焼機関１で用いる点火プラグ２と壁部５との一部側面図を図８に示し、図８のA−A’断面図を図９に示す。図８のBからの矢視図を図１０に示す。壁部５は、壁部５の周方向に２つの壁孔５１を有する。壁孔５１は、図８及び図９において、右側に位置する図示されてない燃料インジェクタ３から噴射される燃料噴霧４が点火プラグ２の点火部側の供給空間５０へ貫通するように、周方向で線対称の位置で、周方向に直角方向で点火部位置で、２つの壁孔５１の中心軸が供給空間５０の中心部付近で交わるように設けられている。
【００４０】
本参考例３の燃焼機関１では、燃料インジェクタ３から噴射された燃料噴霧４の一部が壁部５に当接し、一部が２つの壁孔５１から供給空間５０へ流れ込み、供給空間５０の空気と混じり混合気が生成される。
【００４１】
本参考例３の燃焼機関１で用いられる壁部５では、孔がない場合より、燃料噴霧４が供給空間５０へ早く流れ込むため、点火部の点火時期を早めることができる。そして、２つの壁孔５１の交わる部分に混合気を生成することができるため、限定した範囲に点火可能な混合気を配置することができ、燃焼室１３内の空気流動が強い場合（タンブルやスワールを用いている場合）においても安定して点火することが可能となる。
【００４２】
（参考例４）
本参考例４の燃焼機関１は、参考例３の燃焼機関１の壁孔５１の形状が異なるだけであり、それ以外は参考例３と同様の構成のものである。よって、特に言及しない部材については、参考例３と同様の部材であり、詳細な説明を省略する。
【００４３】
参考例４の燃焼機関１で用いる点火プラグ２と壁部５との一部側面図を図１１に示し、図１１のA−A’断面図を図１２に示す。図１１のBからの矢視図を図１３に示す。壁部５は、壁部５の周方向に２つの壁孔５２を有する。壁孔５２は、図１１及び図１２において、右側に位置する図示されてない燃料インジェクタ３から噴射される燃料噴霧４が点火プラグ２の点火部側の供給空間５０へ貫通するように、周方向で線対称の位置で、周方向に直角方向で点火部位置で、２つの壁孔５２の中心軸が外向きの交わらないように設けられている。
【００４４】
本参考例４の燃焼機関１では、燃料インジェクタ３から噴射された燃料噴霧４の一部が壁部５に当接し、一部が２つの壁孔５２から供給空間５０へ流れ込み、供給空間５０の空気と混じり混合気が生成される。
【００４５】
本参考例４の燃焼機関１で用いられる壁部５では、孔の向きが燃料噴霧４の流速と同じ向きに開口しているため、流速の流れを生かして点火部付近に燃料噴霧４を供給しやすく、点火部付近に可燃性の混合気の生成が可能となり、より安定した点火を実現することができる。
【００４６】
（実施例１）
本実施例１の燃焼機関１では、参考例１のシリンダヘッド１２から燃焼室１３側に突出して設けられている壁部５が点火プラグ２に一体的に形成されており、それ以外は参考例１と同様の構成のものである。よって、特に言及しない部材については、参考例１と同様の部材であり、詳細な説明を省略する。
【００４７】
図１４に示されるように、本実施例１の燃焼機関１で用いられる点火プラグ２は、プラグ本体２０から軸方向で点火部と同じか少し延長された長さで、中心電極２１を中心とする円弧状の壁部２３を有する。図１５に示されるように、燃料インジェクタ３はシリンダヘッド１２の中央に設置されており、点火プラグ２は燃料インジェクタ３に隣接し、燃料インジェクタ３の先端側の延長線と点火プラグ２の先端側の延長線が燃焼室１３内で交わるように、燃料インジェクタ３と点火部との間に壁部２３が位置するように、シリンダヘッド１２に斜め方向に設置されている。
【００４８】
この燃焼機関１では、燃料インジェクタ３から噴射された燃料噴霧４の一部が壁部２３に当接し、中心電極２１と接地電極２２との点火部には直接燃料噴霧４が噴きかからない。点火部と壁部２３との間の供給空間２４には、壁部２３に当接しなかった燃料噴霧４が圧力の差により流れ込んでくる。
【００４９】
このように供給空間２４に流れ込んだ燃料噴霧４は、供給空間２４の空気と混じり適度な濃度の混合気となり、点火プラグ２の中心電極２１と接地電極２２との点火部に至る。ここで中心電極１２と接地電極１３との間に高電圧がかけられ火花が発生する。この火花により混合気が点火され、点火部の周りの混合気を点火し爆発的に燃焼させる。
【００５０】
本実施例１の燃焼機関１では、燃焼室１３内の形状を変更することなく、点火部に直接燃料噴霧４が噴きかからず、適度な濃度の混合気を供給することが可能となる。そして、点火プラグ２の形状を変更するだけであるため、コストを抑えることもできる。また、壁部２３がシリンダヘッド１２に形成される壁部５に比べて点火部に近いため、供給空間２４の混合気をより確実に点火部に供給することができ、安定した点火を可能とする。
【００５１】
（参考例５）
本参考例５の燃焼機関１は、参考例１の燃焼機関１の燃料インジェクタ３の噴出口３１の形状が異なるだけであり、それ以外は参考例１と同様の構成のものである。よって、特に言及しない部材については、参考例１と同様の部材であり、詳細な説明を省略する。
【００５２】
参考例５の燃焼機関１の一部断面図を図１６に示す。燃料インジェクタ３の噴出口３１は複数開口の多孔であり、燃料噴霧４が複数噴出される。図１７は、複数の燃料噴霧４のうち２つが点火プラグ２と壁部５とに噴射された様子を表した底面図である。
【００５３】
本参考例５の燃焼機関１では、点火プラグ２の点火部と燃料インジェクタ３の噴出口３１との間の壁部５により点火部に燃料インジェクタ３からの燃料噴霧４が直接噴きかからないため、燃料噴霧４が付着せず非常に失火しづらく、プラグのくすぶりが生じにくい。その上、壁部５が燃料インジェクタ３から噴射される燃料噴霧４の自由流れを制限することで、供給空間５０に適当な期間で流速の低い適度な濃度の可燃性の混合気を配置することができるため、安定した点火を可能とする。
【００５４】
（参考例６）
本参考例６の燃焼機関１は、参考例１の燃焼機関１の点火プラグ２と燃料インジェクタ３との配置が異なり、それに伴い壁部５の位置が異なる。それ以外は参考例１と同様の構成のものである。よって、特に言及しない部材については、参考例１と同様の部材であり、詳細な説明を省略する。
【００５５】
参考例６の燃焼機関１の一部断面図を図１８に示す。点火プラグ２はシリンダヘッド１２の中央に配置されており、燃料インジェクタ３はシリンダヘッド１２の側部で点火プラグ２の先端側の延長線と燃料インジェクタ３の先端側の延長線が燃焼室１３内で交わるようにシリンダヘッド１２に斜め方向に設置されている。
【００５６】
壁部５は、点火プラグ２と燃料インジェクタ３との間でシリンダヘッド１２から燃焼室１３に突出して形成されている。
【００５７】
本参考例６の燃焼機関１は、点火プラグ２と燃料インジェクタ３との位置関係が上述された実施例及び参考例と異なるものであるが、壁部５をシリンダヘッド１２に設けることができ、上述された実施例及び参考例と同様の効果が得られる。よって、本参考例６の燃焼機関１では、点火プラグ２と燃料インジェクタ３との間の壁部５により点火プラグ２の点火部に燃料インジェクタ３からの燃料噴霧４が直接噴きかからないため、燃料噴霧４が付着せず非常に失火しづらく、プラグのくすぶりが生じにくい。そして、壁部５が燃料インジェクタ３から噴射される燃料噴霧４の自由流れを制限することで、供給空間５０に適当な期間で流速の低い適度な濃度の可燃性の混合気を配置することができるため、安定した点火を可能とする。
【００５８】
（実施例２）
本実施例２の燃焼機関１は、実施例１の燃焼機関１の点火プラグ２と燃料インジェクタ３との配置が異なるだけであり、それ以外は実施例１と同様の構成のものである。よって、特に言及しない部材については、実施例１と同様の部材であり、詳細な説明を省略する。
【００５９】
実施例２の燃焼機関１の一部断面図を図１９に示す。点火プラグ２はシリンダヘッド１２の中央に配置されており、燃料インジェクタ３はシリンダヘッド１２の側部で点火プラグ２の先端側の延長線と燃料インジェクタ３の先端側の延長線が燃焼室１３内で交わるようにシリンダヘッド１２に斜め方向に設置されている。
【００６０】
点火プラグ２は、プラグ本体２０から軸方向で点火部と同じか少し延長された長さで、中心電極２１を中心とする円弧状の壁部２３を有する。
【００６１】
この燃焼機関１では、燃料インジェクタ３から噴射された燃料噴霧４の一部が壁部２３に当接し、中心電極２１と接地電極２２との点火部には直接燃料噴霧４が噴きかからない。点火プラグ２と壁部２３との間の供給空間２４には、壁部２３に当接しなかった燃料噴霧４が圧力の差により流れ込んでくる。
【００６２】
このように供給空間２４に流れ込んだ燃料噴霧４は、供給空間２４の空気と混じり適度な濃度の混合気となり、点火プラグ２の中心電極２１と接地電極２２との点火部に至る。ここで中心電極１２と接地電極１３との間に高電圧がかけられ火花が発生する。この火花により混合気が点火され、点火プラグ２の周りの混合気を点火し爆発的に燃焼させる。
【００６３】
本実施例２の燃焼機関１では、燃焼室１３内の形状を変更することなく、点火部に直接燃料噴霧４が噴きかからず、適度な濃度の混合気を供給することが可能となる。そして、点火プラグ２の形状を変更するだけであるため、コストを抑えることもできる。また、壁部２３がシリンダヘッド１２に形成される壁部５に比べて点火部に近いため、供給空間２４の混合気をより確実に点火部に供給することができ、安定した点火を可能とする。
【００６４】
以上、本発明の好適な実施例及び参考例について説明したが、本発明は上記実施例に限定されるものではない。例えば、実施例１及び２における壁部２３を参考例２〜４の壁部５の形状とすることができる。
【図面の簡単な説明】
【００６５】
【図１】本参考例１の燃焼機関１の一部断面図である。
【図２】本参考例１の点火プラグ２と壁部５との底面図である。
【図３】本参考例１の燃焼機関１の主要部分の一部断面図である。
【図４】本参考例１の燃焼機関１の主要部分の一部断面図である。
【図５】本参考例１の点火プラグ２と壁部５との底面図である。
【図６】本参考例１の点火プラグ２と壁部５との底面図である。
【図７】本参考例２の点火プラグ２と壁部５との底面図である。
【図８】本参考例３の点火プラグ２の点火部と壁部５との側面図である。
【図９】図８のＡ−Ａ’断面図である。
【図１０】図８のＢからの矢視図である。
【図１１】本参考例４の点火プラグ２の点火部と壁部５との側面図である。
【図１２】図１１のＡ−Ａ’断面図である。
【図１３】図１１のＢからの矢視図である。
【図１４】本実施例１の点火プラグ２の構成図である。
【図１５】本実施例１の燃焼機関１の一部断面図である。
【図１６】本参考例５の燃焼機関１の一部断面図である。
【図１７】本参考例５の点火プラグ２と壁部５との底面図である。
【図１８】本参考例６の燃焼機関１の一部断面図である。
【図１９】本実施例２の燃焼機関１の一部断面図である。
【符号の説明】
【００６６】
１：燃焼機関
１０：シリンダ                   １１：ピストン
１２：シリンダヘッド                    １３：燃焼室
１４：吸気管                            １５：排気管
１６：吸気弁                       １７：排気弁
２：点火プラグ
２０：プラグ本体                   ２１：中心電極
２２：接地電極                   ２３：壁部
２４：供給空間
３：燃料インジェクタ
３０：インジェクタ本体           ３１：噴出口（燃料吐出部）
４：燃料噴霧
５：壁部
５０：供給空間                   ５１，５２：壁孔
【図１】
0004548363.tif 000002
【図２】
0004548363.tif 000003
【図３】
0004548363.tif 000004
【図４】
0004548363.tif 000005
【図５】
0004548363.tif 000006
【図６】
0004548363.tif 000007
【図７】
0004548363.tif 000008
【図８】
0004548363.tif 000009
【図９】
0004548363.tif 000010
【図１０】
0004548363.tif 000011
【図１１】
0004548363.tif 000012
【図１２】
0004548363.tif 000013
【図１３】
0004548363.tif 000014
【図１４】
0004548363.tif 000015
【図１５】
0004548363.tif 000016
【図１６】
0004548363.tif 000017
【図１７】
0004548363.tif 000018
【図１８】
0004548363.tif 000019
【図１９】
0004548363.tif 000020